(57)【特許請求の範囲】
【請求項１】
下記式（２’）
Ｒ’Ｏ−（Ｃ3Ｈ6Ｏ2）ｎ2'−Ｈ              （２’）
（式中、Ｒ’はヒドロキシル基を有していてもよい炭素数１０〜１６の直鎖状又は分岐鎖状脂肪族炭化水素基を示す。ｎ2'はグリセリン単位の重合度を示し、３５〜４０である）
で表されるポリグリセリンモノエーテルを含有する洗浄剤組成物。
【請求項２】
下記式（２”）
Ｒ”Ｏ−（Ｃ3Ｈ6Ｏ2）ｎ2"−Ｈ              （２”）
（式中、Ｒ”はヒドロキシル基を有していてもよい炭素数１０〜１５の直鎖状又は分岐鎖状脂肪族炭化水素基を示す。ｎ2"はグリセリン単位の重合度を示し、２５〜４０である）
で表されるポリグリセリンモノエーテルを含有する洗浄剤組成物。
【請求項３】
下記式（２）
ＲＯ−（Ｃ3Ｈ6Ｏ2）ｎ2−Ｈ              （２）
（式中、Ｒはヒドロキシル基を有していてもよい炭素数１０〜１８の直鎖状又は分岐鎖状脂肪族炭化水素基を示す。ｎ2はグリセリン単位の重合度を示し、１１〜４０である）
で表されるポリグリセリンモノエーテルと、
アニオン性界面活性剤と、
両性界面活性剤とを含有する洗浄剤組成物であって、
前記洗浄剤組成物全量における、前記式（２）で表されるポリグリセリンモノエーテルの含有量が３〜９重量％である、洗浄剤組成物。
【請求項４】
請求項１〜３の何れか１項に記載の洗浄剤組成物を含有するシャンプー。
【請求項５】
下記式（１’）
Ｒ’Ｏ−（Ｃ3Ｈ6Ｏ2）ｎ1−Ｈ              （１’）
（式中、Ｒ’はヒドロキシル基を有していてもよい炭素数１０〜１６の直鎖状又は分岐鎖状脂肪族炭化水素基を示す。ｎ1はグリセリン単位の重合度を示し、４〜１０である）
で表されるポリグリセリンモノエーテル（１’）を開始剤とし、前記開始剤にグリシドールを開環重合させて、下記式（２’）
Ｒ’Ｏ−（Ｃ3Ｈ6Ｏ2）ｎ2'−Ｈ              （２’）
（式中、Ｒ’は前記に同じ。ｎ2'はグリセリン単位の重合度を示し、３５〜４０である）
で表されるポリグリセリンモノエーテルを得るポリグリセリンモノエーテルの製造方法。
【請求項６】
下記式（１”）
Ｒ”Ｏ−（Ｃ3Ｈ6Ｏ2）ｎ1−Ｈ              （１”）
（式中、Ｒ”はヒドロキシル基を有していてもよい炭素数１０〜１５の直鎖状又は分岐鎖状脂肪族炭化水素基を示す。ｎ1はグリセリン単位の重合度を示し、４〜１０である）
で表されるポリグリセリンモノエーテル（１”）を開始剤とし、前記開始剤にグリシドールを開環重合させて、下記式（２”）
Ｒ”Ｏ−（Ｃ3Ｈ6Ｏ2）ｎ2"−Ｈ              （２”）
（式中、Ｒ”は前記に同じ。ｎ2"はグリセリン単位の重合度を示し、２５〜４０である）
で表されるポリグリセリンモノエーテル（２”）を得る工程を含む、該ポリグリセリンモノエーテル（２”）を含有する洗浄剤組成物の製造方法。
【請求項７】
下記式（１）
ＲＯ−（Ｃ3Ｈ6Ｏ2）ｎ1−Ｈ              （１）
（式中、Ｒはヒドロキシル基を有していてもよい炭素数１０〜１８の直鎖状又は分岐鎖状脂肪族炭化水素基を示す。ｎ1はグリセリン単位の重合度を示し、４〜１０である）
で表されるポリグリセリンモノエーテル（１）を開始剤とし、前記開始剤にグリシドールを開環重合させて、下記式（２）
ＲＯ−（Ｃ3Ｈ6Ｏ2）ｎ2−Ｈ              （２）
（式中、Ｒは前記に同じ。ｎ2はグリセリン単位の重合度を示し、１１〜４０である）
で表されるポリグリセリンモノエーテルを得る工程を含む、
該ポリグリセリンモノエーテル（２）と、アニオン性界面活性剤と、両性界面活性剤とを含有する洗浄剤組成物であって、前記洗浄剤組成物全量における、前記ポリグリセリンモノエーテル（２）の含有量が３〜９重量％である洗浄剤組成物の製造方法。
【発明の詳細な説明】
【技術分野】
【０００１】
本発明は、新規なポリグリセリンモノエーテル、及び前記ポリグリセリンモノエーテルを含み、起泡力に優れ、低刺激性で肌に優しい洗浄剤組成物に関する。前記洗浄剤組成物は、皮膚洗浄用、頭髪洗浄用等に好適に使用することができる。
【背景技術】
【０００２】
従来、皮膚や頭髪用の洗浄剤組成物には、アルキル硫酸塩、アルキルエーテル硫酸塩等の親水基としてスルホン酸構造を有するアニオン性界面活性剤が使用されてきていた。しかし、これらは起泡力には優れるものの、皮膚刺激性が強く、更に強いタンパク質変性作用を有するため、これらを皮膚や頭髪へ適用すると、肌のかさつき、肌荒れ、ひび割れ、湿疹、髪のパサツキ等を引き起こす場合があることが問題であった。
【０００３】
そこで、近年、前記アニオン性界面活性剤に代えて、皮膚刺激性が低いポリオキシエチレン誘導体等の非イオン系界面活性剤が使用されている。しかし、ポリオキシエチレン誘導体は起泡力の点で不十分であった
【０００４】
特許文献１、２には、界面活性剤として、アシル化アミノ酸系のアニオン性界面活性剤とモノアシルグリセリンを組み合わせて使用したり、ポリグリセリンアルキルエーテルを使用することにより、皮膚刺激性が低く、且つ起泡力に優れた洗浄剤組成物が得られることが記載されている。しかし、未だ、起泡力、及び皮膚刺激性の点で満足できるものではなかった。
【先行技術文献】
【特許文献】
【０００５】
【特許文献１】特開平５−１５６２９５号公報
【特許文献２】特開２００６−３４８０８４号公報
【発明の概要】
【発明が解決しようとする課題】
【０００６】
従って、本発明の目的は、新規のポリグリセリンモノエーテル、及び前記ポリグリセリンモノエーテルを含有し、起泡力に優れ、且つ低刺激性で肌に優しく、皮膚や頭髪の洗浄用として好適な洗浄剤組成物を提供することにある。
【課題を解決するための手段】
【０００７】
本発明者等は上記課題を解決するため鋭意検討した結果、界面活性剤として、ポリグリセリンの重合度が高いポリグリセリンモノエーテルを用いると、タンパク質変性作用を抑制しつつ、優れた起泡力を発揮することができる洗浄剤組成物が得られることを見いだした。本発明はこれらの知見に基づいて完成させたものである。
【０００８】
すなわち、本発明は、下記式（１）
ＲＯ−（Ｃ3Ｈ6Ｏ2）ｎ1−Ｈ              （１）
（式中、Ｒはヒドロキシル基を有していてもよい炭素数１０〜１８の直鎖状又は分岐鎖状脂肪族炭化水素基を示す。ｎ1はグリセリン単位の重合度を示し、４〜１０である）
で表されるポリグリセリンモノエーテル（１）を開始剤として、グリシドールを開環重合させて得られる、下記式（２）
ＲＯ−（Ｃ3Ｈ6Ｏ2）ｎ2−Ｈ              （２）
（式中、Ｒは前記に同じ。ｎ2はグリセリン単位の重合度を示し、１１〜４０である）
で表されるポリグリセリンモノエーテルを提供する。
【０００９】
本発明は、また、式（２）中のｎ2が２０〜４０である前記のポリグリセリンモノエーテルを提供する。
【００１０】
本発明は、また、前記のポリグリセリンモノエーテルを含有する洗浄剤組成物を提供する。
【００１１】
本発明は、また、前記の洗浄剤組成物を含有するシャンプーを提供する。
【００１２】
本発明は、また、下記式（１）
ＲＯ−（Ｃ3Ｈ6Ｏ2）ｎ1−Ｈ              （１）
（式中、Ｒはヒドロキシル基を有していてもよい炭素数１０〜１８の直鎖状又は分岐鎖状脂肪族炭化水素基を示す。ｎ1はグリセリン単位の重合度を示し、４〜１０である）
で表されるポリグリセリンモノエーテル（１）を開始剤とし、前記開始剤にグリシドールを開環重合させて、下記式（２）
ＲＯ−（Ｃ3Ｈ6Ｏ2）ｎ2−Ｈ              （２）
（式中、Ｒは前記に同じ。ｎ2はグリセリン単位の重合度を示し、１１〜４０である）
で表されるポリグリセリンモノエーテルを得るポリグリセリンモノエーテルの製造方法を提供する。
【発明の効果】
【００１３】
本発明の洗浄剤組成物は上記式（２）で表されるポリグリセリンモノエーテル（以後、「ポリグリセリンモノエーテル（２）」と称する場合がある）を含有する。そして、前記ポリグリセリンモノエーテル（２）は、水中で皮膚浸透性が小さい混合ミセルを形成するため、タンパク質変性作用を極めて低く抑制することができる。また、ポリグリセリンモノルエーテル（２）は優れた起泡力を発揮することができ、且つ泡持ちがよい。そのため本発明の洗浄剤組成物は、泡立ち、泡持ちがよく、且つ低刺激性で肌に優しいという特性を有し、皮膚洗浄用途や頭髪洗浄用途に好適に使用することができる。
また、本発明のポリグリセリンモノエーテルの製造方法によれば、前記ポリグリセリンモノエーテル（２）を高純度で、且つ効率よく製造することができる。
【発明を実施するための形態】
【００１４】
［ポリグリセリンモノエーテル（２）］
本発明のポリグリセリンモノエーテル（２）は、下記式（２）で表される。
ＲＯ−（Ｃ3Ｈ6Ｏ2）ｎ2−Ｈ              （２）
（式中、Ｒはヒドロキシル基を有していてもよい炭素数１０〜１８の直鎖状又は分岐鎖状脂肪族炭化水素基を示し、ｎ2はグリセリン単位の重合度を示し、１１〜４０である）
【００１５】
前記ポリグリセリンモノエーテル（２）は、下記式（１）
ＲＯ−（Ｃ3Ｈ6Ｏ2）ｎ1−Ｈ              （１）
（式中、Ｒはヒドロキシル基を有していてもよい炭素数１０〜１８の直鎖状又は分岐鎖状脂肪族炭化水素基を示す。ｎ1はグリセリン単位の重合度を示し、４〜１０である）
で表されるポリグリセリンモノエーテル（１）を開始剤として使用し、前記開始剤にグリシドールを開環重合させることにより製造できる。
【００１６】
式（１）、（２）の括弧内のＣ3Ｈ6Ｏ2は、下記式（３）及び（４）で示される両方の構造を有する。
−ＣＨ2−ＣＨＯＨ−ＣＨ2Ｏ−        （３）
−ＣＨ（ＣＨ2ＯＨ）ＣＨ2Ｏ−        （４）
【００１７】
Ｒにおける炭素数１０〜１８の直鎖状又は分岐鎖状脂肪族炭化水素基としては、例えば、ｎ−デシル、ｎ−ウンデシル、ｎ−ドデシル（ラウリル）、ｎ−トリデシル、ｎ−テトラデシル（ミリスチル）、ｎ−ペンタデシル、ｎ−ヘキサデシル、ｎ−ヘプタデシル、ｎ−ステアリル基等の直鎖状アルキル基；イソデシル、ｓ−デシル、ｔ−デシル、イソウンデシル、ｓ−ウンデシル、ｔ−ウンデシル、イソドデシル、ｓ−ドデシル、ｔ−ドデシル、イソトリデシル、ｓ−トリデシル、ｔ−トリデシル、イソテトラデシル、ｓ−テトラデシル、ｔ−テトラデシル、イソペンタデシル、ｓ−ペンタデシル、ｔ−ペンタデシル、ヘキシルデシル、イソヘキサデシル、ｓ−ヘキサデシル、ｔ−ヘキサデシル、イソヘプタデシル、ｓ−ヘプタデシル、ｔ−ヘプタデシル、イソステアリル等の分岐鎖状アルキル基；ｎ−デセニル、ｎ−ウンデセニル、ｎ−ドデセニル、ｎ−トリデセニル、ｎ−テトラデセニル、ｎ−ペンタデセニル、ｎ−ヘキサデセニル、ｎ−ヘプタデセニル、ｎ−オレイル基等の直鎖状アルケニル基；イソデセニル、ｓ−デセニル、ｔ−デセニル、イソウンデセニル、ｓ−ウンデセニル、ｔ−ウンデセニル、イソドデセニル、ｓ−ドデセニル、ｔ−ドデセニル、イソトリデセニル、ｓ−トリデセニル、ｔ−トリデセニル、イソテトラデセニル、ｓ−テトラデセニル、ｔ−テトラデセニル、イソペンタデセニル、ｓ−ペンタデセニル、ｔ−ペンタデセニル、イソヘキサデセニル、ｓ−ヘキサデセニル、ｔ−ヘキサデセニル基等の分岐鎖状アルケニル基等を挙げることができる。
【００１８】
Ｒにおけるヒドロキシル基を有している炭素数１０〜１８の直鎖状又は分岐鎖状脂肪族炭化水素基としては、例えば、前記炭素数１０〜１８の直鎖状又は分岐鎖状脂肪族炭化水素基における炭素原子に結合する１個以上の水素原子がヒドロキシル基に置換された基を挙げることができる。
【００１９】
本発明におけるＲとしては、なかでも、界面上に強固な柵層（パリセード層）を形成することができ、それにより、優れた起泡力を発揮することができる点で、炭素数１０〜１８の直鎖状アルキル基が好ましく、炭素数の上限は、より好ましくは１６、更に好ましくは１５、特に好ましくは１４、最も好ましくは１３である。炭素数の下限は、特に好ましくは１１、最も好ましくは１２である。
【００２０】
ｎ2はグリセリン単位の重合度を示し、１１〜４０の整数（好ましくは１５〜４０、特に好ましくは２０〜４０、最も好ましくは２５〜４０）である。ｎ2が上記範囲を下回ると、ＨＬＢ値が低下（親水性が低下）し、水性成分への溶解性が低下する傾向があり、起泡力が低下する。一方、ｎ2が過剰であると、ＨＬＢ値が大きくなり過ぎ（親油性が低下し）、かつ分子量が大きくなり過ぎるため、やはり起泡力が低下する。
【００２１】
ポリグリセリンモノエーテル（２）のＨＬＢ（Hydrophile-Lipophile Balance；親水親油バランス）は例えば１５．０以上（例えば１５．０〜２０．０）であり、特に好ましくは１７．０以上（例えば１７．０〜２０．０、とりわけ好ましくは１７．５〜１９．５）である。ＨＬＢが上記範囲を下回ると、親水性が低下し、水性成分への溶解性が低下し、起泡力が低下する傾向がある。ＨＬＢ値は、例えば下記式により算出することができる（デイビス法）。尚、ＨＬＢ値の計算式は下記式に限ったものではない。
ＨＬＢ値＝７＋（親水基の基数の総和）−（疎水基の基数の総和）
【００２２】
ポリグリセリンモノエーテル（２）としては、なかでも、ポリ（２０）グリセリンモノデシルエーテル、ポリ（２０）グリセリンモノラウリルエーテル、ポリ（２５）グリセリンモノラウリルエーテル、ポリ（３５）グリセリンモノラウリルエーテル、ポリ（４０）グリセリンモノラウリルエーテル等の、上記式（２）で表されるポリグリセリンモノエーテルのうち、ｎ2が２０〜４０で、Ｒが炭素数１０〜１８の直鎖状アルキル基である化合物が、水性成分への溶解性が高く、起泡力が高い点で特に好ましく、とりわけＲが炭素数１０〜１２の直鎖状アルキル基（例えば、デシル基、ラウリル基）である化合物が、微細泡形成能に優れ、且つタンパク質変性抑制作用に優れる点で好ましい。これらは１種を単独で、又は２種以上を組み合わせて使用することができる。尚、本明細書において「ポリ（２０）グリセリン」の括弧内の数字はグリセリン単位の重合度を示し、前記はグリセリン単位の重合度が２０のポリグリセリンを示す。「ポリ（２５）グリセリン」、「ポリ（３５）グリセリン」、「ポリ（４０）グリセリン」もこれに準じる。
【００２３】
［ポリグリセリンモノエーテルの製造方法］
本発明のポリグリセリンモノエーテルの製造方法は、下記式（１）
ＲＯ−（Ｃ3Ｈ6Ｏ2）ｎ1−Ｈ              （１）
（式中、Ｒはヒドロキシル基を有していてもよい炭素数１０〜１８の直鎖状又は分岐鎖状脂肪族炭化水素基を示す。ｎ1はグリセリン単位の重合度を示し、４〜１０である）
で表されるポリグリセリンモノエーテル（以後、「ポリグリセリンモノエーテル（１）」と称する場合がある）を開始剤とし、前記開始剤にグリシドールを開環重合させて、下記式（２）
ＲＯ−（Ｃ3Ｈ6Ｏ2）ｎ2−Ｈ              （２）
（式中、Ｒは前記に同じ。ｎ2はグリセリン単位の重合度を示し、１１〜４０である）
で表されるポリグリセリンモノエーテル（＝ポリグリセリンモノエーテル（２））を得ることを特徴とする。
【００２４】
グリシドールの使用量は、ポリグリセリンモノエーテル（１）１モルに対して、例えば１０〜４０モル程度、好ましくは２０〜４０モル、特に好ましくは１５〜３０モルである。
【００２５】
前記開環重合反応は、塩基性触媒（例えば、水酸化ナトリム等）の存在下で行うことが好ましい。
【００２６】
前記塩基性触媒の使用量は、ポリグリセリンモノエーテル（１）１００重量部に対して、例えば０．０５〜０．５重量部程度、好ましくは０．１〜０．４重量部である。
【００２７】
前記開環重合反応は溶媒の存在下で行うことが好ましい。前記溶媒としては、例えば、ペンタン、ヘキサン、ヘプタン、オクタン、石油エーテル等の飽和又は不飽和炭化水素系溶媒；ベンゼン、トルエン、キシレン等の芳香族炭化水素系溶媒；塩化メチレン、クロロホルム、１，２−ジクロロエタン、クロロベンゼン、ブロモベンゼン等のハロゲン化炭化水素系溶媒；ジエチルエーテル、ジイソプロピルエーテル、ジブチルエーテル、テトラヒドロフラン、ジオキサン、１，２−ジメトキシエタン、シクロペンチルメチルエーテル等のエーテル系溶媒；アセトニトリル、ベンゾニトリル等のニトリル系溶媒；ジメチルスルホキシド等のスルホキシド系溶媒；スルホラン等のスルホラン系溶媒；ジメチルホルムアミド等のアミド系溶媒；シリコーンオイル等の高沸点溶媒等を挙げることができる。これらは１種を単独で、又は２種以上を組み合わせて使用することができる。
【００２８】
前記溶媒の使用量としては、ポリグリセリンモノエーテル（１）に対して、例えば５０〜３００重量％程度である。溶媒の使用量が上記範囲を上回ると反応成分の濃度が低くなり、反応速度が低下する傾向がある。
【００２９】
反応雰囲気としては反応を阻害しない限り特に限定されず、例えば、空気雰囲気、窒素雰囲気、アルゴン雰囲気等の何れであってもよい。
【００３０】
反応温度は、例えば６０〜１２０℃程度である。反応時間は、例えば０．５〜２０時間程度である。反応終了後は、熟成工程を設けてもよい。熟成工程を設ける場合、熟成温度は例えば６０〜１２０℃程度、熟成時間は例えば１〜５時間程度である。また、反応はバッチ式、セミバッチ式、連続式等の何れの方法でも行うことができる。
【００３１】
反応終了後、得られた反応生成物は、例えば、濾過、濃縮、蒸留、抽出、晶析、吸着、再結晶、カラムクロマトグラフィー等の分離手段や、これらを組み合わせた分離手段により分離精製できる。
【００３２】
本発明のポリグリセリンモノエーテルの製造方法によれば、ポリグリセリンモノエーテル（２）を高純度で、且つ効率よく製造することができる。
【００３３】
上記製造方法で得られる本発明のポリグリセリンモノエーテル（２）は、例えば、化粧料用組成物（例えば、ヘアコンディショニング剤、スキンケアローション組成物等）や洗浄剤組成物（例えば、シャンプー、ボディーシャンプー等）に使用する、界面活性剤、可溶化剤、分散剤、乳化剤、濡れ剤等として好適に使用することができる。
【００３４】
［洗浄剤組成物］
本発明の洗浄剤組成物はポリグリセリンモノエーテル（２）を含有する。ポリグリセリンモノエーテル（２）の含有量は、洗浄剤組成物全量（１００重量％）の例えば１重量％以上（例えば１〜５０重量％）であり、用途に応じて適宜調整することができる。シャンプーに使用する洗浄剤組成物の場合、洗浄剤組成物全量における、ポリグリセリンモノエーテル（２）の含有量は、好ましくは１〜２０重量％、特に好ましくは１〜１０重量％、最も好ましくは３〜９重量％である。ポリグリセリンモノエーテル（２）の含有量が上記範囲を下回ると、優れた起泡力が得られ難くなる傾向がある。一方、ポリグリセリンモノエーテル（２）の含有量が上記範囲を上回っても、起泡力を更に向上する効果は得られ難く、コスト面からも経済的ではない。
【００３５】
本発明の洗浄剤組成物は、更に水を含有することが好ましい。前記水は、硬水、軟水の何れでもよく、例えば、工業用水、水道水、イオン交換水、蒸留水等が挙げられる。
【００３６】
水の含有量は、洗浄剤組成物全量（１００重量％）の例えば３０〜９５重量％、好ましくは４０〜８５重量％、特に好ましくは５０〜８２重量％、最も好ましくは７０〜８０重量％である。
【００３７】
本発明の洗浄剤組成物は、更にまた、油脂を含有しても良い。前記油脂としては、例えば、アボガド油、ツバキ油、マカダミアナッツ油、トウモロコシ油、オリーブ油、菜種油、ごま油、パーシック油、アマニ油、サフラワー油、綿実油、落花生油、茶実油、米ぬか油、ホホバ油等の動植物油；流動パラフィン、スクワレン、スクワラン、プリスタン等の炭化水素；オレイン酸、イソステアリン酸等の高級脂肪酸；デシルアルコール、ラウリルアルコール等の高級アルコール；メチルポリシロキサン、メチルフェニルポリシロキサン、メチルハイドロジェンポリシロキサン、デカメチルポリシロキサン等のシリコーン；ミリスチン酸イソプロピル、パルミチン酸イソプロピル、ラウリン酸ヘキシル、オレイン酸オレイル、オレイン酸デシル、ミリスチン酸オクチルドデシル、ジメチルオクタン酸ヘキシルデシル、フタル酸ジエチル、フタル酸ジブチル等のエステル等；及び前記油脂に水素添加、分離等の処理を施して得られるもの等を挙げることができる。これらは１種を単独で、又は２種以上を組み合わせて使用することができる。
【００３８】
本発明の洗浄剤組成物には、更に、アニオン性界面活性剤、両性界面活性剤、及び非イオン性界面活性剤から選択される少なくとも１種を含有していても良い。これらを配合することにより、起泡力、肌感触等をより向上させることができる。
【００３９】
前記アニオン性界面活性剤としては、例えば、アルキル硫酸エステル塩、アルキルリン酸塩、ポリオキシエチレンアルキルエーテル硫酸塩、オレフィンスルホン酸塩、ポリオキシエチレンラウリルエーテル酢酸塩、アルキルグリシン塩、カルボキシメチルグリシン塩、Ｎ−アシルアミノエチル−Ｎ−２−ヒドロキシエチルグリシン塩、高級脂肪酸石鹸、ラウロイルメチル―β―アラニン塩、アシルメチルタウリン塩、アルキルスルホコハク酸塩等を挙げることができる。
【００４０】
前記両性界面活性剤としては、例えば、カルボベタイン系界面活性剤、アミドベタイン系界面活性剤、スルホベタイン系界面活性剤、ホスホベタイン系界面活性剤、イミダゾリウムベタイン系界面活性剤、アミンオキサイド系界面活性剤等を挙げることができる。本発明においては、なかでも、アルキルアミドプロピルベタイン（例えば、ラウリン酸アミドプロピルベタイン等）、アルキルヒドロキシスルホベタイン（例えば、ラウリルヒドロキシスルホベタイン等）、アルキルジメチルアミノ酢酸ベタイン（例えば、ラウリルジメチルアミノ酢酸ベタイン、ステアリルジメチルアミノ酢酸ベタイン等）、アルキルヒドロキシホスホベタイン（例えば、ラウリルヒドロキシホスホベタイン等）、２−アルキル−Ｎ−カルボキシアルキル−Ｎ−ヒドロキシアルキルイミダゾリニウムベタイン（例えば、２−アルキル−Ｎ−カルボキシメチル−Ｎ−ヒドロキシエチルイミダゾリニウムベタイン等）、アルキルジメチルアミンオキサイド（例えば、ラウリルジメチルアミンオキサイド等）が好ましく、特に、アルキルアミドプロピルベタイン、アルキルヒドロキシスルホベタイン、アルキルヒドロキシホスホベタイン、２−アルキル−Ｎ−カルボキシアルキル−Ｎ−ヒドロキシアルキルイミダゾリニウムベタイン、アルキルジメチルアミンオキサイドが好ましい。
【００４１】
前記非イオン性界面活性剤としては、例えば、ポリオキシエチレン脂肪酸エステル、ポリオキシエチレン硬化ヒマシ油、ポリオキシエチレンソルビタン脂肪酸エステル、Ｃ8-12脂肪酸モノグリセリド、グリセリンモノアルキルエーテル、ポリオキシエチレンアルキルエーテル、ポリオキシエチレンポリオキシプロピレングリコール、ヤシ油脂肪酸ジエタノールアミド、Ｃ6-24脂肪酸ジエタノールアミド、Ｃ6-24脂肪酸モノエタノールアミド、グリセリン脂肪酸（Ｃ6-24）エステル、アルキルサッカライド系界面活性剤等を挙げることができる。
【００４２】
アニオン性界面活性剤、両性界面活性剤、及び非イオン性界面活性剤の含有量（２種以上含有する場合はその総量）は、洗浄剤組成物全量（１００重量％）の例えば０．１〜５０重量％程度、好ましくは０．５〜３５重量％、特に好ましくは０．８〜３０重量％、最も好ましくは１〜２５重量％、さらに好ましくは５〜２０重量％、とりわけ好ましくは９〜１９重量％である。これらを上記範囲内で配合すると、使用感、泡立ち、肌感触をより一層向上させることができる。
【００４３】
更に、本発明の洗浄剤組成物には、カチオン性界面活性剤も含有していてもよいが、カチオン性界面活性剤の含有量（２種以上含有する場合はその総量）は洗浄剤組成物全量（１００重量％）の例えば３重量％以下、好ましくは１重量％以下、特に好ましくは０．５重量％以下である。カチオン性界面活性剤を上記範囲を超えて含有すると、タンパク質変性作用や皮膚刺激性が強まり、安全性が低下するため好ましくない。
【００４４】
更にまた、本発明の洗浄剤組成物に含まれる全界面活性剤におけるポリグリセリンモノエーテル（２）の占める割合としては、例えば１〜７０重量％であり、上限は好ましくは６０重量％、特に好ましくは５５重量％、最も好ましくは４５重量％である。また、下限は、好ましくは３重量％、特に好ましくは５重量％、最も好ましくは２０重量％である。
【００４５】
本発明の洗浄剤組成物には、更にまた、通常の洗浄剤組成物に用いられる成分、例えば、アニオン性、ノニオン性、カチオン性ポリマー等の粘度調整剤；ポリオール類等の保湿成分；脂肪酸等の増泡剤；アミド、水溶性高分子、ｐＨ調整剤、紫外線吸収剤、パール化剤、酸化防止剤、増粘剤、抗菌剤、防腐剤、キレート剤、香料、色素等を、本発明の効果を損なわない範囲で適宜配合することができる。
【００４６】
本発明の洗浄剤組成物は、例えば、上記ポリグリセリンモノエーテルの製造方法によりポリグリセリンモノエーテルを得、得られたポリグリセリンモノエーテルと、必要に応じて他の成分を混合することにより製造することができる。
【００４７】
本発明の洗浄剤組成物は、例えばｐＨ３〜１１が好ましく、特に好ましくはｐＨ４〜１０である。
【００４８】
本発明の洗浄剤組成物は、低刺激性で、且つ起泡力優れ、泡持ちがよい。そのため、頭髪洗浄用（例えば、シャンプー）、皮膚洗浄用（例えば、手指用、顔用、身体用）、油汚れ洗浄用（例えば、衣料用、台所用）等の洗浄剤（特に、頭髪洗浄用、皮膚洗浄用）として好適である。
【００４９】
［シャンプー］
本発明のシャンプーは上記洗浄剤組成物を含有する。シャンプー全量における上記洗浄剤組成物の含有量は、例えば３０重量％以上、好ましくは５０重量％以上、特に好ましくは７０重量％以上である。洗浄剤組成物の含有量の上限は１００重量％である。すなわち、本発明のシャンプーは、上記洗浄剤組成物のみからなるものであってもよい。
【００５０】
シャンプー全量におけるポリグリセリンモノエーテル（２）の含有量は、例えば１重量％以上（例えば１〜５０重量％）、好ましくは１〜２０重量％、特に好ましくは１〜１０重量％、最も好ましくは３〜９重量％である。
【００５１】
本発明のシャンプーは、例えば、上記ポリグリセリンモノエーテルの製造方法によりポリグリセリンモノエーテルを得、得られたポリグリセリンモノエーテルと、必要に応じて他の成分を混合することにより製造することができる。
【００５２】
本発明のシャンプーは、界面活性剤としてポリグリセリンモノエーテル（２）を含有するため、起泡力に優れ、泡持ちがよく、高い洗浄力を発揮することができ、且つ低刺激性で肌に優しい。
【実施例】
【００５３】
以下、実施例により本発明をより具体的に説明するが、本発明はこれらの実施例により限定されるものではない。なお、実施例１、２、６、７、１５及び１６は参考例とする。
【００５４】
実施例１（ポリ（２０）グリセリンモノデシルエーテルの製造）
テトラグリセリンモノデシルエーテルに、テトラグリセリンモノデシルエーテル１当量に対して１６当量となる量のグリシドールを、１００℃を維持しつつ、１２時間かけて滴下し、１時間の熟成を経て、８５％リン酸水溶液を加えて反応を停止し、ポリ（２０）グリセリンモノデシルエーテル（ＨＬＢ：１７.７）を得た。
【００５５】
実施例２（ポリ（２０）グリセリンモノラウリルエーテルの製造）
テトラグリセリンモノラウリルエーテルに、テトラグリセリンモノラウリルエーテル１当量に対して１６当量となる量のグリシドールを、１００℃を維持しつつ、１２時間かけて滴下し、１時間の熟成を経て、８５％リン酸水溶液を加えて反応を停止し、ポリ（２０）グリセリンモノラウリルエーテル（ＨＬＢ：１７．２）を得た。
【００５６】
実施例３（ポリ（２５）グリセリンモノラウリルエーテルの製造）
テトラグリセリンモノラウリルエーテル１当量に対して２１当量となる量のグリシドールを用いた以外は実施例２と同様にしてポリ（２５）グリセリンモノラウリルエーテル（ＨＬＢ：１７．６）を得た。
【００５７】
実施例４（ポリ（３５）グリセリンモノラウリルエーテルの製造）
テトラグリセリンモノラウリルエーテル１当量に対して３１当量となる量のグリシドールを用いた以外は実施例２と同様にしてポリ（３５）グリセリンモノラウリルエーテル（ＨＬＢ：１８．３）を得た。
【００５８】
実施例５（ポリ（４０）グリセリンモノラウリルエーテルの製造）
テトラグリセリンモノラウリルエーテル１当量に対して３６当量となる量のグリシドールを用いた以外は実施例２と同様にしてポリ（４０）グリセリンモノラウリルエーテル（ＨＬＢ：１９．４）を得た。
【００５９】
実施例６〜１０、比較例１〜５
下記表１に示す配合組成（単位：重量部）により洗浄剤組成物を常法により製造し、得られた洗浄剤組成物について、起泡力、泡持ち、及びタンパク質変性抑制作用を下記方法で評価した。尚、下記表１中の界面活性剤のうち、ポリ（２０）グリセリンモノデシルエーテルからポリ（４０）グリセリンモノラウリルエーテルは、それぞれ実施例１〜５で得られたものを使用した。
【００６０】
（起泡力評価）
洗浄剤組成物０．６ｇ、水道水１００ｍＬ（液温：４０℃）をミキサーに仕込み、３０秒撹拌し、静置１分後の泡高さ（ｍｍ）、及び静置４分後の泡高さ（ｍｍ）を測定した。
【００６１】
（泡持ち評価）
上記（起泡力評価）で求められた泡高さ（ｍｍ）から、実施例及び比較例で得られた洗浄剤組成物の「泡持ち」を、下記式に基づいて算出した。
「泡持ち」（％）＝（静置４分後の泡高さ）／（静置１分後の泡高さ）×１００
【００６２】
（タンパク質変性抑制作用評価）
文献（粧技誌 '84 18(2) p96-105）に従い、緩衝液中に卵由来アルブミン０．０２５ｇと洗浄剤組成物０．６ｇと水道水１００ｍＬを添加したものをサンプルとして使用し、調製直後、及び２５℃で２４時間静置した後のサンプル中の卵由来アルブミン量をゲル浸透クロマトグラフィー（ＧＰＣ）を使用して測定した。
調製直後のサンプルと比較して、２５℃で２４時間静置した後のサンプルにおける卵由来アルブミン量がどの程度減少しているか（減少割合）を算出し、それをタンパク質変性率として、下記基準によりタンパク質変性抑制作用を評価した。
評価基準
◎：タンパク質変性率が３％未満
○：タンパク質変性率が３％以上、１０％未満
△：タンパク質変性率が１０％以上、６０％未満
×：タンパク質変性率が６０％以上
【００６３】
【表１】
0006797462.tif 000002
【００６４】
表１より、本発明の洗浄組成物（実施例６〜１０で得られた洗浄剤組成物）は、泡立ち（３５ｍｍ以上）、泡持ち（９０％以上）、及びタンパク質変性抑制作用のすべてに優れることが判る。一方、比較例１〜５で得られた洗浄剤組成物は、泡立ち、泡持ち、タンパク質変性作用のいずれかの点において、満足できるものではなかった。
【００６５】
実施例１１〜１６、比較例６
下記表２に示す各成分（単位：重量部）を混合してシャンプーを得た。得られたシャンプーについて、上記と同様の方法で起泡力、泡持ち、及びタンパク質変性抑制作用について評価を行った。尚、下記表２中の、ポリ（２０）グリセリンモノラウリルエーテルは実施例２で得られたものを使用した。
【００６６】
【表２】
0006797462.tif 000003
【００６７】
表２より、本発明のシャンプー（実施例１１〜１６で得られたシャンプー）は、泡立ち、泡持ち、及びタンパク質変性抑制作用のすべてに優れることが判る。一方、本発明のポリグリセリンモノエーテルを含まない比較例６で得られたシャンプーは、泡立ちは良かったものの、泡持ちとタンパク質変性作用の点において満足できるものではなかった。